(57)【要約】【課題】それぞれ異なった印刷をした上層紙と下層紙とを貼り合わせて成り、上層紙の所望部分を剥取して下層紙の印刷面を露出させることができる、多品種少ロット製品であるカレンダー等の二層印刷物を、比較的容易且つ迅速に製造でき、商業ベースに生産することが可能な二層印刷物の製造方法を提供することを課題とする。【解決手段】上層紙及び下層紙に所望の印刷をする工程と、前記下層紙の印刷面上にラミネートフィルムを被装する工程と、前記上層紙の裏面又は前記下層紙のラミネートフィルム面に接着剤を塗布する工程と、前記上層紙と前記下層紙とを貼り合わせる工程と、前記上層紙にのみ所望の切り込みを入れる工程とから成り、前記上層紙の前記切り込みの内側を剥取可能にした。【選択図】図１
2014043040.tif 000002
【特許請求の範囲】
【請求項１】
上層紙及び下層紙に所望の印刷をする工程と、
前記下層紙の印刷面上にラミネートフィルムを被装する工程と、
前記上層紙の裏面又は前記下層紙のラミネートフィルム面に接着剤を塗布する工程と、
前記上層紙と前記下層紙とを貼り合わせる工程と、
前記上層紙にのみ所望の切り込みを入れる工程と、
から成り、
前記上層紙の前記切り込みの内側を剥取可能にしたことを特徴とする二層印刷物の製造方法。
【請求項２】
前記二層印刷物はカレンダーであり、前記上層紙には１年分又は複数月分のカレンダーが印刷される、請求項１に記載の二層印刷物の製造方法。
【請求項３】
前記上層紙の切り込みは、各月ごとに入れられる、請求項２に記載の二層印刷物の製造方法。
【請求項４】
Ｗｅｂを介してデジタル画像データを受け付ける工程と、
前記受け付けた画像データをレイアウトする工程と、
前記レイアウトされた配列画像データにつき光の三原色ＲＧＢからＣＭＹＫ形式へ変換する工程と、
前記光の三原色ＲＧＢからＣＭＹＫ形式への色表現形式変換をした配列画像データを印刷機に供給して下層紙に印刷する工程と、
前記下層紙の印刷面上にラミネートフィルムを被装する工程と、
予め前記下層紙における印刷内容に対応する印刷内容を印刷した上層紙を用意する工程と、
前記上層紙の裏面又は前記下層紙のラミネートフィルム面に接着剤を塗布する工程と、
前記上層紙と前記下層紙とを貼り合わせる工程と、
前記上層紙にのみ所望の切り込み線を入れる工程と、
から成り、
前記上層紙の前記切り込み線の内側部分を剥取可能にしたことを特徴とする二層印刷物の製造方法。
【請求項５】
前記二層印刷物はカレンダーであり、前記上層紙には１年分又は複数月分のカレンダーが印刷される、請求項４に記載の二層印刷物の製造方法。
【請求項６】
前記上層紙の切り込みは、各月ごとに入れられる、請求項４又は５に記載の二層印刷物の製造方法。
【請求項７】
請求項４に記載の方法を実施するためのシステムであって、業者サーバーと、Ｗｅｂを介して前記業者サーバーと接続されるユーザ端末とから成り、前記業者サーバーは、前記Ｗｅｂを介して前記ユーザ端末と通信するための送受信部と、前記ユーザ端末から送られてくる画像データを保存する記憶部と、前記記憶部に保存された前記画像データを予め設定されたテンプレートに従って自動配列するレイアウト部と、前記レイアウト部において自動配列された配列画像データにつき、光の三原色ＲＧＢからＣＭＹＫ形式への色表現形式の変換を行う色表現形式変換部とを備え、色表現形式変換部において色表現形式変換された前記配置画像データが印刷機に供給されて前記下層紙に印刷されるようにして成る二層印刷物製造のために用いられるシステム。
【請求項８】
前記レイアウト部において自動配列された前記配列画像データが、前記色表現形式変換部に送られる前に前記ユーザ端末に送信されて利用者の閲覧に供される、請求項７に記載のシステム。
【発明の詳細な説明】
【技術分野】
【０００１】
本発明は、二層印刷物の製造方法に関するものであり、より詳細には、印刷をした上層紙と下層紙とを貼り合わせて成り、上層紙の所望部分を剥取して下層紙の印刷面を露出させることができる二層印刷物の製造方法に関するものである。
【背景技術】
【０００２】
本願出願人は先に、それぞれ異なった印刷をした上層紙と下層紙とを貼り合わせて成り、上層紙の所望部分を剥取して下層紙の印刷面を露出させることができる二層印刷物であるカレンダーを提唱した（特許文献１：実用新案登録第３０５５２５９号公報）。
【０００３】
このカレンダーは、それぞれ異なった印刷をした上層紙と下層紙とを貼り合わせて成るもので、上層紙には半年又は１年間の月別カレンダーを印刷し、下層紙の各掲載欄には写真又は絵図を印刷し、上層紙の裏面に粘着面を設け、上層紙の各月のカレンダー印刷部分をそれぞれ剥離可能にし、カレンダー印刷部分を剥がしたときに掲載欄に印刷された写真又は絵図が表出するようにしたものである。
【０００４】
従来この特許文献１に記載のカレンダーは、印刷すべき写真につき、手作業で色表現法をＣＭＹＫ形式に変換してデザインレイアウトを行った後、主に大量生産用に用いられる印刷機、大型ラミネーター及び型抜き機を用いて製造されていた。しかし、当該カレンダーはその性質上多品種少ロット製品であるところ、上記従来の製造方法は元々大量生産用であって、同一物を大量に生産することによってしか単価を下げることができないため、当該カレンダーの製造には不向きである。
【先行技術文献】
【特許文献】
【０００５】
【特許文献１】実用新案登録第３０５５２５９号公報
【発明の概要】
【発明が解決しようとする課題】
【０００６】
上述したように、従来提唱されている、それぞれ異なった印刷をした上層紙と下層紙とを貼り合わせて成り、上層紙の所望部分を剥取して下層紙の印刷面を露出させることができる二層印刷物であるカレンダーの製造は、大量生産用の機器を用いて行われていたが、その方法は多品種少ロット製品製造に不向きで、当該カレンダーを商業ベースで生産することが困難であるため、広く普及するには至っていない。
【０００７】
本発明はかかる状況に鑑みてなされたもので、それぞれ異なった印刷をした上層紙と下層紙とを貼り合わせて成り、上層紙の所望部分を剥取して下層紙の印刷面を露出させることができる、多品種少ロット製品であるカレンダー等の二層印刷物を、比較的容易且つ迅速に製造でき、商業ベースに生産することが可能な二層印刷物の製造方法を提供することを課題とする。
【課題を解決するための手段】
【０００８】
上記課題を解決するための請求項１に記載の発明は、上層紙及び下層紙に所望の印刷をする工程と、前記下層紙の印刷面上にラミネートフィルムを被装する工程と、前記上層紙の裏面又は前記下層紙のラミネートフィルム面に接着剤を塗布する工程と、前記上層紙と前記下層紙とを貼り合わせる工程と、前記上層紙にのみ所望の切り込みを入れる工程とから成り、前記上層紙の前記切り込みの内側を剥取可能にしたことを特徴とする二層印刷物の製造方法である。
【０００９】
上記課題を解決するための請求項４に記載の発明は、Ｗｅｂを介してデジタル画像データを受け付ける工程と、前記受け付けた画像データをレイアウトする工程と、前記レイアウトされた配列画像データにつき光の三原色ＲＧＢからＣＭＹＫ形式へ変換する工程と、前記光の三原色ＲＧＢからＣＭＹＫ形式への色表現形式変換をした配列画像データを印刷機に供給して下層紙に印刷する工程と、前記下層紙の印刷面上にラミネートフィルムを被装する工程と、予め前記下層紙における印刷内容に対応する印刷内容を印刷した上層紙を用意する工程と、前記上層紙の裏面又は前記下層紙のラミネートフィルム面に接着剤を塗布する工程と、前記上層紙と前記下層紙とを貼り合わせる工程と、前記上層紙にのみ所望の切り込み線を入れる工程とから成り、前記上層紙の前記切り込み線の内側部分を剥取可能にしたことを特徴とする二層印刷物の製造方法である。
【００１０】
一実施形態においては、前記二層印刷物はカレンダーであり、前記上層紙には１年分又は複数月分のカレンダーが印刷され、また、前記上層紙の切り込みは、各月ごとに入れられる。
【００１１】
上記課題を解決するための請求項７に記載の発明は、請求項４に記載の方法を実施するためのシステムであって、業者サーバーと、Ｗｅｂを介して前記業者サーバーと接続されるユーザ端末とから成り、前記業者サーバーは、前記Ｗｅｂを介して前記ユーザ端末と通信するための送受信部と、前記ユーザ端末から送られてくる画像データを保存する記憶部と、前記記憶部に保存された前記画像データを予め設定されたテンプレートに従って自動配列するレイアウト部と、前記レイアウト部において自動配列された配列画像データにつき、光の三原色ＲＧＢからＣＭＹＫ形式への色表現形式の変換を行う色表現形式変換部とを備え、色表現形式変換部において色表現形式変換された前記配置画像データが印刷機に供給されて前記下層紙に印刷されるようにして成る二層印刷物製造のために用いられるシステムである。
【００１２】
一実施形態においては、前記レイアウト部において自動配列された前記配列画像データが、前記色表現形式変換部に送られる前に前記ユーザ端末に送信されて利用者の閲覧に供される。
【発明の効果】
【００１３】
本発明は上記のとおりであって、本発明に係る方法によれば、それぞれ異なった印刷をした上層紙と下層紙とを貼り合わせて成り、上層紙の所望部分を剥取して下層紙の印刷面を露出させることができるカレンダー等に好適な二層印刷物を、比較的容易且つ迅速に製造でき、製品コストを抑えることができ、多品種少ロットの需要に好適に対応し得る効果がある。
【００１４】
特に、請求項４に係る発明においては、一般化しているＷｅｂを利用して、遠隔地の需要者を含めて需要者を広範に求め、且つ、その需要に応え得る効果があり、請求項７及び８に係る発明においては、本発明に係る方法を効率よく円滑に実施することが可能となる効果がある。
【図面の簡単な説明】
【００１５】
【図１】本発明に係る二層印刷物の製造方法を説明するための斜視図である。
【図２】本発明に係る二層印刷物の製造方法の第二の実施形態において用いるシステムの構成を示す簡略ブロック図である。
【図３】本発明に係る二層印刷物の製造方法の第二の実施形態における処理の流れを示すフロー図である。
【発明を実施するための形態】
【００１６】
本発明を実施するための形態について、添付図面を参照しつつ詳細に説明する。本発明に係る二層印刷物の製造方法は、主なる対象物としてカレンダーを想定したものであり、その一実施形態においては、本方法は以下の工程から成る。
・上層紙１及び下層紙２に所望の印刷をする工程
・下層紙２の印刷面上にラミネートフィルム３を被装する工程
・上層紙１の裏面又は下層紙２のラミネートフィルム３面に接着剤を塗布する工程
・上層紙１と下層紙２とを貼り合わせる工程
・上層紙１にのみ所望の切り込み４を入れる工程
【００１７】
そして、上層紙１の切り込み４に囲まれた部分が剥取可能にされることを特徴とするものである。以下に、各工程ごとにより詳細に説明する。なお、以下の説明は、二層印刷物をカレンダーとした場合のものであり、他の二層印刷物の場合もカレンダーの場合に準ずる。
【００１８】
上層紙及び下層紙への印刷工程
上層紙１としては、通例、コート紙を用い、これに１年分（又は６カ月、１４カ月等の複数月分）の月別カレンダーを印刷する（図１参照）。また、下層紙２としては、通例、コート紙又は白板紙を用い、これに、人物、動物、キャラクター、花、季節的行事、風景等に関する写真、絵画、文字、図形等（以下「絵柄」と総称する）を印刷する。絵柄４は、例えば、月別カレンダーの１月分の区画に対応するサイズの、それぞれ独立したものとして、月数分、各月に対応させて印刷するが、複数月の区画に跨る大きさのものとし、あるいは、全体で１つのものとしてもよい。
【００１９】
下層紙の印刷面上へのラミネートフィルム被装工程
この工程は、下層紙２に所望の絵柄を印刷した後、その印刷面上（下層紙２の全面）にラミネートフィルム３を被装する工程である。ラミネートフィルム３としては、例えば、厚さが約２５μのシリコーンＰＥＴフィルム（シリコーンコーティングされたＰＥＴフィルム）を用いる。ラミネートフィルム３の被装は、市販の簡易なラミネータを用いて行うことができる。
【００２０】
上層紙の裏面又は下層紙のラミネートフィルム面への接着剤塗布工程
この工程は、上層紙１の裏面又は下層紙２に被装したラミネートフィルム３上に接着剤を塗布する工程である。接着剤としては、任意の易剥離性接着剤を用いることができる。かくして上層紙１と下層紙２とが仮接着され、上層紙１を下層紙２から剥離可能となる。
【００２１】
上層紙と下層紙との貼り合わせ工程
この工程は、上層紙１の裏面又は下層紙２に被装したラミネートフィルム３上に塗布した接着剤を介して、上層紙１と下層紙２とを貼り合わせて一体化する工程である。
【００２２】
上層紙１の切り込み工程
この工程は、上層紙１にのみ所望の切り込み４を入れる工程であり、通例、切り込み４は、各月ごとに升目状に入れられる。この切り込み作業は、ペンプロッターのペンの代わりに鋭利なナイフを備えた態様であって、切り込み深さの制御が可能なカッティングプロッターを用いて行うことができる。このようにして切り込み４を入れることにより、切り込み４で囲まれた部分が剥取可能となる。
【００２３】
本発明の第二の実施形態においては、上記第一の実施形態における上層紙及び下層紙への印刷工程の前に、Ｗｅｂを介してデジタル画像を入稿する工程と、前記画像につき光の三原色ＲＧＢからＣＭＹＫ形式へ色表現変換する工程と、前記画像を自動配置する工程とが加わる。この第二の実施形態を実施するために、Ｗｅｂ２１を介してユーザ端末２０に接続される業者サーバー１０が用意される（図２参照）。
【００２４】
業者サーバー１０には、Ｗｅｂ２１を介してユーザ端末２０と通信するための送受信部１２と、ユーザ端末２０から送られてくる画像データを一時保存する記憶部１３と、記憶部１３に保存された画像データを予め設定されたテンプレートに従って自動配列するレイアウト部１４と、レイアウト部１４において配列された配列画像データにつき、光の三原色ＲＧＢからＣＭＹＫ形式への変換を行う色表現形式変換部１５と、各部を制御する制御部１１とを備え、色変換された画像データが印刷機１６に送られるように構成される（図４参照）。なお、レイアウト部１４において配列された配列画像データを、色表現形式変換部１５に送る前にユーザ端末２０に送信し、ユーザの確認を求めるようにしてもよい。
【００２５】
このシステムを用いた第二の実施形態における処理の流れにつき、図３のフロー図を参照しつつ説明する。先ず、このサービスを利用して独自のカレンダーを作成したい利用者は、自らのユーザ端末２０から、Ｗｅｂ２１を介して業者サーバー１１にアクセスし、ユーザ端末２０の画面に用意される申し込み画面に必要事項を入力し（Ｓ１１）、申込受付け完了後、指示に従って必要数の画像データを送信する（Ｓ１２）。また、利用者は、業者サーバー１１側から提示される画像配列のためのテンプレートの中から所望のものを選択する。
【００２６】
利用者からの申し込みを受け付け、画像データを受信した業者サーバー１１においては、先ず、受信した画像データがその記憶部１３に記憶保存されると共に（Ｓ１３）、レイアウト部１４により、当該利用者によって指定されたテンプレートに従った、当該画像データの配列が行われ、作成された配列画像データが記憶部１３記憶される（Ｓ１４）。そして、この配列画像データがユーザ端末２０に送られ、利用者の了承確認を待つ（Ｓ１５、Ｓ１６）。
【００２７】
利用者の了承が得られなかった場合又はテンプレートの変更指示の場合（Ｓ１６：Ｎｏ）は、ステップ１４に戻り、利用者の了承が得られた場合（Ｓ１６：Ｙｅｓ）は、そのレイアウトの配列画像データが色表現形式変換部１５に送られ、光の三原色ＲＧＢからＣＭＹＫ形式への色表現形式変換がなされる（Ｓ１７）。そして、色表現形式変換された配列画像データが印刷機１６に送られ、印刷機１６において下層紙２に所定数印刷される（Ｓ１８）。
【００２８】
このようにして、利用者から送られてきた画像データが指定されたテンプレートのレイアウトにて下層紙２に印刷された後、下層紙２をラミネーターに通すことにより、その印刷面上にラミネートフィルムが被装され（Ｓ１９）、その上に接着剤が塗布された後（Ｓ２０）、上層紙１が重合されて貼り合わされる（Ｓ２１）。上層紙１には予め、１年分（又は複数月分）の月別カレンダーが印刷されている。そして、最後に、カッティングプロッターを用いて上層紙１にのみ、各月ごとに升目状に切り込み４を入れて（Ｓ２２）、作業完了となる。この上層紙１における切り込み４に囲まれた部分は、剥離可能となる。
【００２９】
このようにして製造されたカレンダーにおいては、当初、下層紙２の絵柄は上層紙１に隠れて見えないが、各月のカレンダーを剥離することによりその下の絵柄が表われることになり（利用者以外の人は、どのような絵柄が表われるか分からない。）、興味を持って使用することができる。
【００３０】
この発明をある程度詳細にその最も好ましい実施形態について説明してきたが、この発明の精神と範囲に反することなしに広範に異なる実施形態を構成することができることは言うまでもない。従って、この発明は添付請求の範囲において限定した以外はその特定の実施形態に制約されるものではない。
【符号の説明】
【００３１】
１    上層紙
２    下層紙
３    ラミネートフィルム
１０    業者サーバー
１１    制御部
１２    送受信部
１３    記憶部
１４    レイアウト部
１５    色表現形式変換部
１６    印刷機
【図１】
2014043040.tif 000003
【図２】
2014043040.tif 000004
【図３】
2014043040.tif 000005